(57)【要約】【課題】被写体深部まで鮮明に観察可能な照明装置を提供する。【解決手段】半導体レーザーを光源に用いて被写体を照射する照明装置（１００）であって、波長帯域の異なる複数の発光を行う複数の発光部（３０、４０）と、複数の発光部のそれぞれの発光出力を制御する発光制御部（１０）と、複数の発光部の出力を混合し、出力光を生成する混合部（６０）と、を備え、発光制御部は、複数の発光部のそれぞれの発光出力について、波長およびパワー密度を制御し、被写体の深部から反射光を得る。【選択図】図１
2019204756.tif 000002
【特許請求の範囲】
【請求項１】
半導体レーザーの発光素子を光源に用いて被写体を照射する照明装置であって、
波長帯域の異なる複数の発光を行う複数の発光部と、
前記複数の発光部のそれぞれにおける前記発光素子の発光出力を制御する発光制御部と、
複数の発光部からの発光出力を混合し、前記被写体に照射する出力光を生成する混合部と、
を備え、
前記発光制御部は、前記複数の発光部のそれぞれの前記発光出力について、波長およびパワー密度を制御し、前記被写体の深部から反射光を得る
照明装置。
【請求項２】
前記複数の発光部は、
第１の波長帯域を発光する第１の発光部と、
前記第１の波長帯域を含まない第２の波長帯域を発光する第２の発光部と、
前記第１の波長帯域および前記第２の波長帯域を含まない第３の波長帯域を発光する第３の発光部と、
前記第１の波長帯域、前記第２の波長帯域、および前記第３の波長帯域を含まない第４の波長帯域を発光する第４の発光部と、
を有し、
前記発光制御部は、前記第１の発光部、前記第２の発光部、前記第３の発光部、および前記第４の発光部のそれぞれの前記発光出力を制御し、
前記混合部は、前記第１の発光部、前記第２の発光部、前記第３の発光部、および前記第４の発光部のそれぞれの出力を混合し、前記出力光を生成する
請求項１に記載の照明装置。
【請求項３】
前記発光制御部は、前記複数の発光部について、複数もしくは単独で前記発光出力を制御する
請求項１または２に記載の照明装置。
【請求項４】
前記複数の発光部のそれぞれについて、前記発光素子の順方向電流を測定する検知回路をさらに備え、
前記発光制御部は、前記検知回路によって測定された前記順方向電流が、それぞれの発光部に対してあらかじめ決められた電流範囲となるように、前記それぞれの発光部を制御する
請求項１から３のいずれか１項に記載の照明装置。
【請求項５】
前記発光制御部は、前記検知回路によって測定された前記順方向電流が前記電流範囲よりも低下することで、対応する発光部が劣化したと判断する自己診断機能を有する
請求項４に記載の照明装置。
【請求項６】
前記複数の発光部のそれぞれは、第１の発光素子と第２の発光素子を有し、
前記発光制御部は、前記第１の発光素子を制御している際に、前記自己診断機能により前記第１の発光素子が劣化したと判断した場合には、前記第１の発光素子から前記第２の発光素子に制御対象を切り換え、発光を継続させる
請求項５に記載の照明装置。
【請求項７】
前記複数の発光部のそれぞれについて、前記発光素子の温度を検出する温度センサーと、
前記発光素子を冷却する冷却装置と、
をさらに備え、
前記発光制御部は、前記温度センサーによって検出された前記発光素子の温度がそれぞれの発光部に対してあらかじめ決められた温度範囲を超える場合には、前記冷却装置により前記発光素子の温度が前記温度範囲内となるようにそれぞれの発光部を制御する
請求項１から６のいずれか１項に記載の照明装置。
【請求項８】
前記複数の発光部は、蛍光血管造影剤であるインドシアニングリーンの励起波長にて発光する発光部を含む
請求項１から７のいずれか１項に記載の照明装置。
【請求項９】
前記複数の発光部は、蛍光血管造影剤であるフルオレセインの励起波長にて発光する発光部を含む
請求項１から７のいずれか１項に記載の照明装置。
【請求項１０】
前記複数の発光部は、蛍光血管造影剤である５ＡＬＡの励起波長にて発光する発光部を含む
請求項１から７のいずれか１項に記載の照明装置。
【発明の詳細な説明】
【技術分野】
【０００１】
本発明は、医療用および産業用を含む照明装置に関するものである。
【背景技術】
【０００２】
従来、たとえば体腔内の組織を観察する内視鏡システムに使用される光源としては、キセノン光源が広く知られている。キセノン光源は、高輝度であるとともに発光波長も非常に広帯域な特性を持つ。このため、キセノン光源は、可視光源だけでなく、蛍光画像観察用光源としての応用も可能であり、光学フィルターとの組み合わせにて必要な各波長に対応することで広く利用されている。
【０００３】
また、最近は、ＬＥＤの高輝度化が進み、懐中電灯から住宅用照明・信号機など、民生用から産業用途まで、ＬＥＤ光源が広く使用されている。これに加え、最近では、実験用高輝度光源など、光源の分野にもＬＥＤ光源が利用されつつある。
【０００４】
さらに、最近では、特殊用途として半導体レーザーを利用した光源が存在する。このような半導体レーザーを利用した光源は、特定波長が発光可能なレーザー光の利点を生かした特殊用途である。安定して安全な白色光を発光する可視光源として、キセノン光源の置き換え可能な光電については、まだ検討段階にある。
【０００５】
特許文献１のキセノン光源では、熱線対策のフィルターを使用している。ただし、特許文献１に係るキセノン光源では、励起光部分を使用しており、近赤外の一部である７００〜８００ｎｍの波長の放射強度成分を含むため、可視光源としての完全な対策ではない。
【０００６】
最近のＬＥＤ光源では、可視光範囲をＬＥＤで実現しているものが存在する。ただし、あくまで自然光を再現したものである。
【先行技術文献】
【特許文献】
【０００７】
【特許文献１】特開２００９−１４０８２７号公報
【発明の概要】
【発明が解決しようとする課題】
【０００８】
光源装置としてキセノン照明を用いる場合、高輝度・広帯域であることから、観察、手術におけるカメラ撮像などの観点では、非常に有利である。しかしながら、被写体、および術者、観察者の観点では、キセノン照明は、不要な熱線成分である近赤外光、網膜および皮膚に悪影響のある紫外線成分など、不要な波長帯成分を多く含む。このため、キセノン照明は、長時間の使用自体が困難である。また、キセノン照明を使用する場合には、メガネ、熱線対策など、特別な対応が必要であり、高輝度ではありながら、その利点を十分に生かせていない。
【０００９】
また、キセノン照明は、波長特性が太陽光に近いため、自然な明るさを再現することは可能である。しかしながら、キセノン照明は、医療もしくは産業分野で求められる被写体の必要部分、あるいは特徴的な部位の観察を行うには、適さない面があった。具体的には、キセノン照明は、たとえば、必要な波長だけを必要なパワー密度で照射し、被写体の深部からの反射光を得ることで、広帯域では得られなかった被写体光像を得るなど、特殊用途での要求を満たすことができなかった。
【００１０】
さらに、医療もしくは産業用において蛍光画像観察に使用される光源の場合、キセノンの広帯域を利用して、必要な波長のみを光学フィルターにて透過させる構造のものが存在する。ただし、このような構造の光源は、高輝度、広帯域から狭帯域へのフィルタリングを行っているため、フィルター部分にて熱が発生し、分光特性が安定せず、発光効率も悪いものとなる。
【００１１】
本発明は、前記のような課題を解決するためになされたものであり、被写体深部まで鮮明に観察可能な照明装置を得ることを目的とする。
【課題を解決するための手段】
【００１２】
本発明に係る照明装置は、半導体レーザーを光源に用いて被写体を照射する照明装置であって、波長帯域の異なる複数の発光を行う複数の発光部と、複数の発光部のそれぞれの発光出力を制御する発光制御部と、複数の発光部の出力を混合し、出力光を生成する混合部と、を備え、発光制御部は、複数の発光部のそれぞれの発光出力について、波長およびパワー密度を制御し、被写体の深部から反射光を得るものである。
【発明の効果】
【００１３】
本発明によれば、被写体の深部からの反射光を得ることができる構成を備えている。この結果、被写体深部まで鮮明に観察可能な照明装置を実現することができる。
【図面の簡単な説明】
【００１４】
【図１】本発明の実施の形態１における照明装置の概略ブロック図である。
【図２】本発明の実施の形態１における照明装置の分光特性図である。
【図３】本発明の実施の形態１に係る照明装置の温度による発光波長制御特性の一例を示す図である。
【図４】本発明の実施の形態１に係る照明装置の電流による発光強度特性の一例を示す図である。
【図５】本発明の実施の形態１に係る照明装置における波長単位でのレーザー発光ユニットの詳細ブロック図である。
【図６】本発明の実施の形態１に係る照明装置において、被写体への波長ごとの光の浸透度合いを示した図である。
【図７】本発明の実施の形態１における照明装置と、キセノン照明とによる被写体観察像の比較結果を示す説明図である。
【発明を実施するための形態】
【００１５】
以下、本発明の照明装置の好適な実施の形態につき、図面を用いて説明する。
【００１６】
実施の形態１．
【００１７】
図１は、本発明の実施の形態１における照明装置の概略ブロック図である。図１に示す本実施の形態１に係る照明装置１００は、光源の発光素子に半導体レーザーを用いた例を示している。具体的には、照明装置１００は、レーザー発光制御部１０、レーザー用電源部２０、複数のレーザー駆動部３０、複数のレーザー発光部４０、複数の光ファイバー５０、およびレーザー光混合用のロッドインテグレーター６０を含んで構成される。
【００１８】
なお、図１においては、複数のレーザー駆動部３０が、４つのレーザー駆動部３０（１）〜３０（４）で構成されている場合を例示している。また、図１においては、複数のレーザー発光部４０が、４つのレーザー発光部４０（１）〜４０（４）で構成されている場合を例示している。そして、レーザー駆動部３０（１）〜３０（４）と、レーザー発光部４０（１）〜４０（４）とは、図１に示すように、１対１に対応している。すなわち、図１では、１つのレーザー駆動部３０と、１つのレーザー発光部４０とから構成されるレーザー発光ユニットを４セット有している場合を例示している。
【００１９】
なお、図５に示したレーザー駆動部３０とレーザー発光部４０とを１つの発光部としてまとめ、レーザー発光ユニットを構成することも可能である。
【００２０】
図２は、本発明の実施の形態１における照明装置１００の分光特性図である。レーザー発光部４０（１）〜４０（４）の出力は、それぞれレーザー分光特性７０（１）〜７０（４）を持つ。
【００２１】
レーザー発光部４０（１）〜４０（３）のそれぞれの分光特性７０は、分光特性７０（１）〜７０（３）に相当する。従って、レーザー発光部４０（１）〜４０（３）による発光は、可視領域７１の４００〜７００ｎｍ範囲内にあり、レーザー発光部４０（１）〜４０（３）は、通常の可視光光源として動作する。
【００２２】
一方、レーザー発光部４０（４）は、たとえば、分光特性７０（４）を有する７８０ｎｍの波長であり、用途に応じて、必要な波長光を発光する。このように、本実施の形態１におけるレーザー発光部４０は、１つの発光部で、１つの波長帯を発光する構成である。
【００２３】
図３は、本発明の実施の形態１に係る照明装置の温度による発光波長制御特性の一例を示す図である。図３に示す温度Ｔａによる発光波長制御特性例は、半導体レーザーの波長特性例を示す。つまり、レーザー発光制御部１０は、温度Ｔａによる発光波長制御特性例８１を利用して、光源としての発光波長の制御と制限を行うことができる。
【００２４】
図４は、本発明の実施の形態１に係る照明装置の電流による発光強度特性の一例を示す図である。図４に示す電流による発光強度制御特性例は、半導体レーザーの発光特性例を示す。つまり、レーザー発光制御部１０は、順方向電流による発光強度特性例８２を利用して、光源としての発光状態検知を行うことができる。
【００２５】
図５は、本発明の実施の形態１に係る照明装置における波長単位でのレーザー発光ユニットの詳細ブロック図である。レーザー駆動部３０は、発光素子駆動回路３１、および２つの検知回路３２ａ、３２ｂを含んで構成されている。
【００２６】
また、レーザー発光部４０は、２つの発光素子４１ａ、４１ｂ、温度センサー４２、および冷却装置４３を含んで構成されている。発光素子４１ａは、検知回路３２ａに接続され、発光素子４１ｂは、検知回路３２ｂに接続されている。
【００２７】
発光素子４１ａは、光ファイバー５１ａに光学的に接続され、発光素子４１ｂは、光ファイバー５１ｂに光学的に接続されている。このような構成により、発光素子４１ａ、４１ｂからの光は、光源光として、それぞれの光ファイバー５１ａ、５１ｂを介して出力される。
【００２８】
光源の通常運用状態では、発光素子４１ａ側の半導体レーザーが発光するように、レーザー発光制御部１０による制御が行われる。発光素子４１ｂは、発光素子４１ａが劣化した際のスペアとして使用するものであり、具体的な使用法については、後述する。
【００２９】
次に、図１〜図５を用いて、本実施の形態１における照明装置の動作について、詳細に説明する。電源が投入されると、レーザー用電源部２０から、レーザー発光制御部１０などの必要部分に電源が供給され、照明装置１００は、光源として動作可能な状態となる。
【００３０】
レーザー発光制御部１０は、まず、レーザー発光部４０（１）の半導体レーザーを発光させるために、レーザー駆動部３０（１）に対して、電源供給を行うとともに、駆動制御を行う。
【００３１】
レーザー発光部４０（１）は、定格の電源供給と温度制御にて、図２に示したレーザー分光特性７０（１）により、４５０±２ｎｍの波長で発光する。レーザー発光制御部１０は、４５０±２ｎｍでのレーザー発光を維持させるため、図５に示した検知回路３２ａによって検出された電流を取得する。さらに、レーザー発光制御部１０は、図４の電流による発光強度特性例８２に示す電流範囲Ａ〜Ｂ間のセンターＣ点にて、駆動制御を行う。
【００３２】
ここで、半導体レーザーの発光とは、光による共振を伴うものであり、ある閾値以上の電流が必要である。図４のＡ点が、発光素子４１ａの閾値電流であり、レーザー発光制御部１０は、前述のとおり、発光維持のため、Ａ点の電流以上となるように、発光素子４１ａの発光制御を行う。
【００３３】
さらに、レーザー発光制御部１０は、図３の温度Ｔａによる発光波長制御特性例８１を利用して、４５０±２ｎｍでのレーザー発光を維持させるために、温度制御を行う。具体的には、レーザー発光制御部１０は、図５に示した温度センサー４２による温度検知結果に基づいて、冷却装置４３により発光素子４１ａが２０〜２５℃となるように、温度制御を行う。
【００３４】
半導体レーザーの発光波長は、素子を構成する物性とその構造にて決まるが、発光中の波長は、温度に依存する。そのため、発光波長維持には、電流に基づく発光制御に加え、温度制御が必要である。このような制御により、４５０±２ｎｍのレーザー発光が維持される。この波長は、青色であり、後に、赤色の波長と緑色の波長とともに合成され、可視光が生成されることとなる。
【００３５】
さらに、レーザー発光制御部１０は、レーザー発光部４０（２）、４０（３）、４０（４）に関しても、上述したレーザー発光部４０（１）と同様の制御により半導体レーザーを発光させるために、レーザー駆動部３０（２）、３０（３）、３０（４）に対して、電源供給を行うとともに、駆動制御を行う。
【００３６】
レーザー発光部４０（２）は、定格の電源供給と温度制御にて、図２に示したレーザー分光特性７０（２）により、５５０±２ｎｍの波長で発光する。レーザー発光部４０（３）は、定格の電源供給と温度制御にて、図２に示したレーザー分光特性７０（３）により、６５０±２ｎｍの波長で発光する。さらに、レーザー発光部４０（４）は、定格の電源供給と温度制御にて、図２に示したレーザー分光特性７０（４）により、７８０±２ｎｍの波長で発光する。
【００３７】
レーザー発光制御部１０は、それぞれのレーザー発光を維持させるため、検知回路３２ａにて電流を検知し、図４の電流による発光強度特性例８２に示す電流範囲Ａ〜Ｂ間のセンターＣ点にて、駆動制御を行う。
【００３８】
ここで、半導体レーザーの発光とは、光による共振を伴うもので、ある閾値以上の電流が必要である。図４のＡ点が、発光素子４１ａの閾値電流であり、レーザー発光制御部１０は、前述のとおり、発光維持のため、Ａ点の電流以上となるように、発光素子４１ａの発光制御を行う。
【００３９】
さらに、レーザー発光制御部１０は、図３の温度による発光波長制御特性例８１を利用して、それぞれの波長でのレーザー発光を維持させるために、温度制御を行う。具体的には、レーザー発光制御部１０は、図５に示した温度センサー４２による温度検知結果に基づいて、冷却装置４３により発光素子４３ａが２０〜２５℃となるように、それぞれの波長について温度制御を行う。
【００４０】
以上のように、それぞれの波長について発光制御および温度制御が行われることで、４５０±２ｎｍ、５５０±２ｎｍ、６５０±２ｎｍ、７８０±２ｎｍの４波長のレーザー発光が維持される。５５０±２ｎｍの緑色と、６５０±２ｎｍの赤色と、４５０±２ｎｍの青色との３つの波長は、ともに合成され、可視光が生成されることとなる。
【００４１】
これら４つの波長の光は、レーザー用の光ファイバー５０を介して、レーザー光混合用のロッドインテグレーター６０に集光される。レーザー光は、このロッドインテグレーター６０にて拡散させることで、コヒーレント性と集光性が抑制され、自然光同様の特性に変換された上で、図２に示す分光特性を持つ光出力が得られる。
【００４２】
それぞれのレーザー発光部４０の光は、前述の説明のとおり、レーザー光用の光ファイバー５０からレーザー光混合用のロッドインテグレーター６０を介して、光源が必要とされる外部機器での利用のために、照明装置１００の本体から出力される。照明装置１００から出力される光は、できるだけ効率よく利用されるように、専用アタッチメントを介して、光が必要とされる外部機器に接続される。
【００４３】
上述したように、本実施の形態１に係る照明装置１００は、光源として４つの発光波長を持つ構成である。さらに、照明装置１００は、運用や目的により、発光パターンを選択的に変えることができる。たとえば、通常の可視光源としての運用時には、レーザー発光制御部１０は、レーザー発光部４０（１）、４０（２）、４０（３）のみから発光させ、レーザー発光部４０（４）からは発光させないように、制御を行う。
【００４４】
また、レーザー発光制御部１０は、蛍光観察に必要な波長のみを発光させることが可能である。たとえば、フルオレセインの場合には、レーザー発光制御部１０は、レーザー発光部４０（１）から４５０ｍｎの波長のみを発光させることで、ブロードな特性のＬＥＤあるいはキセノンより、効率よく蛍光光像を得ることができる。
【００４５】
さらに、レーザー発光制御部１０は、生体に安全な領域のパワー密度でレーザー光を照射させることで、被写体の数ミリメートル表面下まで光を浸透させることができる。このように、パワー密度を制御することで、被写体表面だけでなく、被写体表面の数ミリメートル奥からも、反射光もしくは拡散光が発生する。
【００４６】
このため、一般の光源とは異なり、本実施の形態１に係る照明装置１００を用いることで、被写体をより明るく、かつ、鮮明で色鮮やかに観察することができる。たとえば、ビーフジャーキーのような乾燥肉に光を照射した場合を考える。この場合、キセノン照明では、表面反射光がほとんどのため、表面の乾燥状態が強調されて表現される。
【００４７】
これに対して、本実施の形態１に係る照明装置１００では、レーザー照明で数ｍｍ浸透した光の反射光、拡散光の影響により、被写体表面よりも奥から発色する。このため、ビーフジャ−キーが非常に鮮明に見え、照射条件によっては、ビーフジャ−キーが生肉のように見える場合もある。
【００４８】
図６は、本発明の実施の形態１に係る照明装置において、被写体への波長ごとの光の浸透度合いを示した図である。光の浸透度合いは、図６に示すように、波長により異なる。図６中のそれぞれのグラフは、青色のグラフ８３、緑色のグラフ８４、赤色のグラフ８５を示している。
【００４９】
青色のグラフ８３に対して、緑色のグラフ８４、赤色のグラフ８５になるに従って、波長が長くなれば、浸透度合いがより増加する特性がある。この特性を利用して、照明装置１００は、被写体表面に近い部分に対しては低めの波長を使用し、より奥の部分に対しては高めの波長を使用することで、より明確に被写体を映し出すことが可能となる。観察の目的によっては、１波長のみを使用する場合、あるいは複数の波長を組み合わせて使用する場合がある。
【００５０】
また、複数の波長を使用する場合には、各波長のパワー密度および強度に差をつけることで、被写体内の観察したい部分を、より強調することも可能である。図７は、本発明の実施の形態１における照明装置１００と、キセノン照明とによる被写体観察像の比較結果を示す説明図である。
【００５１】
より具体的には、キセノン照明により得られる被写体観察像９１と、本実施の形態１に係る照明装置１００により得られる被写体観察像９２とが、図７の上段に示されている。また、図７の下段には、キセノン照明および本実施の形態１に係る照明装置における、直接光、および直接光に基づいて得られる反射光または拡散光が、模式的に記載されている。
【００５２】
キセノン照明により得られる被写体観察像９１に対して、照明装置１００によるレーザー照明により得られる被写体観察像９２は、明るく、色鮮やかに観察することができる画像となっていることがわかる。
【００５３】
つまり、キセノン照明を用いる場合には、直接光９４ａに対する反射光９４ｂのみが観測され、被写体観察像９１が得られる結果となる。これに対して、本実施の形態１に係るレーザー照明を用いる場合には、直接光９４ａに対する反射光９４ｂに加え、被写体に浸透する直接光９３ａに対する反射光もしくは拡散光９３ｂが観測され、被写体観察像９２が得られる結果となる。
【００５４】
すなわち、本実施の形態１に係る照明装置１００は、被写体表面での反射光９４ｂに対して、被写体に浸透後の反射光もしくは拡散光９３ｂが加わり、３次元的な反射光を見ることができる。この結果、全体に明るく、鮮やかに被写体を観察することが可能な、被写体観察像９２を得ることができる。
【００５５】
上述した具体例のように、本実施の形態１に係る照明装置１００は、運用目的に応じて、必要な発光部を適宜発光させることのできる構成を備えている。このような構成により、目、皮膚等に有害な紫外線領域、熱線として影響のある近赤外線領域など、不必要な光を発生させずに、発光波長を適切に制御することができる。この結果、適切に制御された波長帯域の光を選択発光可能とすることで、高精度、かつ高効率な光源を実現することができる。
【００５６】
なお、発光素子は、それぞれの波長ごとに、１個のみを使用してもよいが、図５のように、１つのレーザー発光部４０内に発光素子４１を複数備えた構成を採用することもできることはいうまでもない。レーザー発光制御部１０は、通常状態では、発光素子４１ａを発光させるが、なんらかの理由で発光素子４１ａが発光しなくなった場合には、発光素子４１ｂに切り替えるよう制御する。
【００５７】
このような制御を行うために、発光素子４１ａ、４１ｂごとに、個別の検知回路３２ａ、３２ｂを備えておく。そして、発光素子駆動回路３１は、検知回路３２ａにて検出された電流が閾値電流特性例のＡ点以下であったときに、発光素子４１ａの発光が止まっている可能性が高いと判断できる。そこで、発光素子駆動回路３１は、この情報を元に、自己診断として、ユーザに対して、発光素子４１ａに寿命が来たことをなんらかの方法で告知する。
【００５８】
一方、レーザー発光制御部１０は、発光素子駆動回路３１から、発光素子４１ａに寿命が来たことを知らせる自己診断結果を受信した場合には、発光素子４１ａから発光素子４１ｂへの切り替え制御を行うことで、光源としての発光を継続させることができる。
【００５９】
なお、発光素子駆動回路３１は、自己診断機能として、検知回路に３２で検出された電流の経年変化に基づいて行うこともできる。つまり、発光素子駆動回路３１は、照明装置１００の使用中に、徐々に検出電流が下がり、たとえば、Ａ点よりも若干高い値まで落ちたところで、発光停止が近いと判断し、発光素子４１に寿命が近づいてきているとして、事前に異常を知らしめることができる。
【００６０】
なお、レーザー発光部４０の発光波長は、必要とされる波長であれば、いずれであってもよい。つまり、レーザー発光部４０（１）は、波長を４５０ｎｍとする必要はなく、可視光としての青色を構成できるもので選択すれば、たとえば、４４０ｎｍあるいは４６０ｎｍであってもよい。
【００６１】
また、発光波長と同様に、波長帯域幅に関しても、必要とされる範囲によって決めることができる、上述したように、波長帯域幅は、±２ｎｍでなくとも、たとえば人体へ影響がない範囲であれば、±１０ｎｍ程度であってもかまわない。
【００６２】
蛍光血管造影剤の励起光波長を発光するレーザー発光部４０（４）も、レーザー発光部４０（１）〜４０（３）と同様に、いずれの波長帯域であってもよい。つまり、レーザー発光部４０（４）の波長は、７８０±２ｎｍでなくとも、たとえば、励起効率のピーク付近の８００ｎｍ±５ｎｍであってもかまわない。
【００６３】
また、レーザー発光部４０（４）の波長は、インドシアニングリーン用でなくとも、他の蛍光血管造影剤の励起光波長、たとえばフルオレセインの４９０ｎｍ近辺、５ＡＬＡの４００ｎｍ周辺などであっても、まったく差し支えない。
【００６４】
さらに、可視光を構成する波長と、蛍光血管造影剤の励起光波長とを共用してもよい。たとえば、レーザー発光部４０（１）の青色を、フルオレセイン蛍光血管造影剤の励起光周辺である４９０ｎｍとしてもよい。この場合、可視光照明としての使用時には、レーザー発光制御部１０は、レーザー発光部４０（１）を、レーザー発光部４０（２）およびレーザー発光部４０（３）とともに発光させることで、可視の白色光を構成することができる。
【００６５】
一方、蛍光血管造影観察時には、レーザー発光制御部１０は、レーザー発光部４０（１）のみを発光させるように制御することで、目的に応じて、レーザー発光部４０を効率的に利用できる。
【００６６】
また、本実施の形態１に係る照明装置１００で利用される発光素子は、ＬＥＤ、あるいは半導体レーザーには限定されない。波長および帯域が制御可能なものであれば、その他のレーザー素子あるいは発光素子であってもよいことは、いうまでもない。
【００６７】
上述した本実施の形態１に係る照明装置は、以下のような効果を有する。
（効果１）本発明によれば、必要な波長を必要なパワー密度で発光することで、被写体、特に生体に対して、深部からの反射光を得ることができる第１の構成を備えている。この結果、被写体全体が明るく鮮明となる。また、この第１の構成を備えることで、さらに、被写体表面だけでなく、深部の観察光像を得ることができる。
【００６８】
（効果２）本発明によれば、必要な波長を必要とされるときに発光可能とする第２の構成を備えている。この結果、不要な波長の光成分を抑制でき、被写体あるいは術者、観察者に対しての悪影響を抑制することができる。また、この第２の構成を備えることで、さらに、効率がよいとともに、被写体からの蛍光を得るために必要な励起光波長を、選択的に照射することが可能となる。
【００６９】
（効果３）本発明によれば、発光手段として半導体レーザーを使用できる第３の構成を備えている。この結果、より高出力で波長制限が容易な光源を得ることができる。
【００７０】
（効果４）本発明によれば、発光手段としてレーザーのような固体デバイスを使用できる第４の構成を備えている。この結果、固体デバイスの経年変化の特性を利用することで、発光状態の検知結果に基づいて、固体デバイスの自己診断機能を実現することが可能となる。
【符号の説明】
【００７１】
１０  レーザー発光制御部、３０、３０（１）〜３０（４）  レーザー駆動部、３１  発光素子駆動回路、３２ａ、３２ｂ  検知回路、４０、４０（１）〜４０（４）  レーザー発光部、４１ａ、４１ｂ  発光素子、４２  温度センサー、４３  冷却装置、６０  レーザー光混合用のロッドインテグレーター（混合部）、９３ａ  浸透した直接光、９３ｂ  浸透した直接光の反射光もしくは拡散光、９４ａ  直接光、９４ｂ  直接光の反射光、１００  照明装置。
【図１】
2019204756.tif 000003
【図２】
2019204756.tif 000004
【図３】
2019204756.tif 000005
【図４】
2019204756.tif 000006
【図５】
2019204756.tif 000007
【図６】
2019204756.tif 000008
【図７】
2019204756.tif 000009